(57)【要約】【課題】配管作業が容易に行えると共に、高圧洗浄機による下流側配管の洗浄が容易に行える省スペースな厨芥処理装置用トラップ装置を提供する。【解決手段】トラップ装置８は一端部が厨芥処理装置２の排出管６に接続されると共に、他端部が横引き配管９接続される。トラップ装置８は上流側パイプ体１０と下流側パイプ体１１とを備え、トラップ部７より下流側に位置するストレート管部１１ｂに、下流側に指向する傾斜状に連通されると共に横引き配管９を洗浄するための高圧洗浄チューブ１４が挿入される筒状の配管洗浄口１５が、一体に形成されている。【選択図】　　　　図１
2004100359.tif 000002
【特許請求の範囲】
【請求項１】
一端部が厨芥処理装置の排出部に接続されると共に、他端部が設置された配管に接続されるトラップ部を有する厨芥処理装置用トラップ装置において、
前記トラップ部より下流側に位置するストレート管部に、下流側に指向する傾斜状に連通されると共に前記配管を洗浄するための高圧洗浄チューブが挿入される筒状の配管洗浄口が、一体に形成されていることを特徴とする厨芥処理装置用トラップ装置。
【請求項２】
前記厨芥処理装置用トラップ装置は延長管を備え、該延長管のストレート管部に前記配管洗浄口が一体に形成されていることを特徴とする請求項１に記載の厨芥処理装置用トラップ装置。
【発明の詳細な説明】
【０００１】
【発明の属する技術分野】
本発明は、厨房の生ゴミ等を破砕して排出する厨芥処理装置のための厨芥処理装置用トラップ装置に関するものである。
【０００２】
【従来の技術】
この種の厨芥処理装置を備えたシンク周りの排水構造としては、通常、厨芥処理装置の排出部からトラップ装置、横引き配管等を順次通じて下流側に排出する構造とされている。
【０００３】
また、このような配管設備においては、配管詰まりの防止や付着物の除去を目的として、一般的に定期的な配管洗浄が行われている。
【０００４】
例えば、厨芥処理装置に接続された排水管路の曲部管壁に閉塞物除去穴を形成すると共に、閉塞物除去穴にプラグを着脱自在に装着した構造のものがある（例えば、特許文献１参照。）。
【０００５】
そして、配管洗浄時には、プラグを外し、閉塞物除去穴に圧力水供給管を接続し、排水管路内に圧力水を供給するすることによって閉塞物の洗い流しや除去、排水管路内の洗浄を可能な構造とされている。
【０００６】
また、厨芥処理装置に接続された排水管路内を洗浄する別の構造として、トラップ部分や横配管に配管洗浄器具挿入口を設け、配管洗浄用の高圧洗浄機の洗浄ノズルをそれら配管洗浄器具挿入口から挿入することによって配管洗浄を行う構造のものもある（例えば、特許文献２参照。）。
【０００７】
【特許文献１】
実開平７−３５５７４号公報
【特許文献２】
特開２００１−１１５５１９号公報
【０００８】
【発明が解決しようとする課題】
しかしながら、特許文献１に開示の構造によれば、排水管路に備えられたトラップ部の上流側における曲部管壁に閉塞物除去穴を形成した構造であるため、高圧洗浄機によって排水管路内の洗浄を行う場合、洗浄ノズルを備えた高圧洗浄チューブが高圧洗浄水の水圧により曲がり難くなるため、閉塞物除去穴から挿入できたとしてもトラップ部を通過させることができない。
【０００９】
従って、トラップ部より下流側の配管の洗浄を行う場合には、一旦、トラップ部を外して下流側の配管の洗浄を行う必要があり、配管洗浄時における作業性に難点があった。
【００１０】
また、特許文献２に開示の構造によれば、トラップ部分や横配管に設けられた配管洗浄器具挿入口を利用してトラップ部分より下流側の配管の洗浄が可能と思われるが、トラップ装置は比較的細径の配管で構成されており、トラップ部分に設けられた配管洗浄器具挿入口は、トラップ部分の湾曲部に設けられた構造であるため、配管洗浄器具挿入口から前記下流側の配管内への高圧洗浄チューブの挿入は角度がつき過ぎて困難な作業になると思われる。
【００１１】
これに対し、横配管はより太径の配管によって構成されており、横配管の下流側に設けられた配管洗浄器具挿入口から横配管内への高圧洗浄チューブの挿入によって横配管内の洗浄が可能と思われる。しかしながら、この洗浄に際しては、横配管の上流方向に破砕物や汚れ等の付着物を水圧で吹き飛ばしていく方式であり、配管の流れ勾配と逆方向になり、非効率的であった。
【００１２】
また、トラップ部分や横配管にこのような配管洗浄器具挿入口を設ける場合には、Ｔ字管チーズ等を介在して配管構成する必要があり、嵩高になると共に配管作業が面倒になるという問題もあった。
【００１３】
そこで、本発明は上記問題点に鑑み、配管作業が容易に行えると共に、高圧洗浄機による下流側配管の洗浄が容易に行える省スペースな厨芥処理装置用トラップ装置を提供することを目的とする。
【００１４】
【課題を解決するための手段】
上記目的を達成するための技術的手段は、一端部が厨芥処理装置の排出部に接続されると共に、他端部が設置された配管に接続されるトラップ部を有する厨芥処理装置用トラップ装置において、前記トラップ部より下流側に位置するストレート管部に、下流側に指向する傾斜状に連通されると共に前記配管を洗浄するための高圧洗浄チューブが挿入される筒状の配管洗浄口が、一体に形成されている点にある。
【００１５】
また、前記厨芥処理装置用トラップ装置は延長管を備え、該延長管のストレート管部に前記配管洗浄口が一体に形成されている構造としてもよい。
【００１６】
【発明の実施の形態】
以下、本発明の第１の実施形態を図面に基づいて説明すると、図１および図２に示される如く、流し台１の内部には厨芥処理装置２が設けられ、厨芥処理装置本体３の厨芥投入口４をシンク５の排水口に連結することによって設置されており、厨芥処理装置本体３の排出部を構成する排出管６にトラップ部７を有するトラップ装置８の一端部が接続され、トラップ装置８の他端部は流し台１の下部に突出状に配置された横引き配管９に接続されている。
【００１７】
トラップ装置８は、厨芥排出方向上流側の上流側パイプ体１０と厨芥排出方向下流側の下流側パイプ体１１との対の金属製パイプを備えてなり、上流側パイプ体１０は排出管６の下端部を挿入状として接続される直線状のストレート管部１０ａと、ストレート管部１０ａの端部より略Ｕ字状に湾曲された第１湾曲管部１０ｂとから構成されている。
【００１８】
また、下流側パイプ体１１は第１湾曲管部１０ｂの端部に接続される略Ｕ字状に湾曲された第２湾曲管部１１ａと、第２湾曲管部１１ａの端部より直線状に延設されて横引き配管９に接続されるストレート管部１１ｂとを備え、ストレート管部１１ｂの長さ方向中間部には、厨芥排出方向の下流側に指向する傾斜状に連通されると共に、配管を洗浄するための高圧洗浄機１３の高圧洗浄チューブ１４が挿入される筒状の配管洗浄口１５が、一体に形成された構造とされている。
【００１９】
そして、配管洗浄口１５には、その開口部を塞ぐべく、キャップ体１６が着脱自在に螺合締結されている。
【００２０】
また、上流側パイプ体１０の第１湾曲管部１０ｂ端部と、下流側パイプ体１１の第２湾曲管部１１ａ端部とが、シールパッキン１７を介した取付ナット体１８の螺合締結により、互いに着脱自在に連結されており、この第１湾曲管部１０ｂと第２湾曲管部１１ａとによりＳ字状のトラップ部７が構成されている。
【００２１】
前記上流側パイプ体１０のストレート管部１０ａも、シールパッキン１９を介した取付ナット体２０の螺合締結により、排出管６に着脱自在に連結されている。
【００２２】
また、下流側パイプ体１１のストレート管部１１ｂ下端部も、同様に、シールパッキンを介した取付ナット体の螺合締結により、横引き配管９に着脱自在に連結されている。
【００２３】
本実施形態は以上のように構成されており、厨芥投入口４から水と共に投入された厨芥は、厨芥処理装置本体３の粉砕室において、固定刃とスイングハンマとの協働により破砕され、その破砕された厨芥は小さな粒子となって下部の排出室へと案内される。その後、破砕された厨芥と水は、排出室から排出管６を通じてトラップ装置８、横引き配管９へと押し流され、下水に排出される。
【００２４】
また、定期的な配管洗浄時には、配管洗浄口１５からキャップ体１６を取り外し、高圧洗浄機１３の高圧洗浄チューブ１４を配管洗浄口１５に挿入し、高圧洗浄チューブ１４から高圧洗浄水を供給しながら漸次差し込んでいけば、横引き配管９に沿って高圧洗浄チューブ１４が順次案内され、横引き配管９等の下流側の配管が順次洗浄できる。
【００２５】
この際、トラップ装置８のストレート管部１１ｂに、下流側に指向する傾斜状に配管洗浄口１５が設けられているため、高圧洗浄チューブ１４の挿入作業が容易に行えると共に、下流方向に破砕物や汚れ等の付着物を高圧洗浄水で吹き飛ばしていく方式であり、配管の流れ勾配に沿って吹き飛ばすため、効率的に洗浄が行え、ここに、高圧洗浄機による下流側配管の洗浄が容易、かつ効率的に行える利点がある。
【００２６】
また、トラップ装置８のストレート管部１１ｂに配管洗浄口１５が一体に形成されているため嵩張らず、Ｔ字管チーズ等を介在して高圧洗浄チューブ１４挿入用の配管洗浄口を構成する場合と比較してコンパクトに構成でき、配管作業に際しても、厨芥処理装置２の排出管６と流し台１の下部に突出状に予め設置された横引き配管９とをトラップ装置８で接続する作業のみでよく、少ないスペースで配管作業が容易に行え、省スペース化も図れ、流し台１下部のスペースを有効に利用できる利点がある。
【００２７】
さらに、塩化ビニル管等からなる太径の横引き配管９を流し台１下部にあまり突出させる必要がなく、外観向上も図れる。
【００２８】
一方、塩化ビニル管等からなる横引き配管９側は配管業者が予め施工を行っており、厨芥処理装置２との接続のためのトラップ装置８の配管は厨芥処理装置２のメーカー側の業者が施工する関係からも、配管洗浄口１５がトラップ装置８に一体に形成されているため、組付けや施工が容易に行える利点がある。
【００２９】
図３は第２の実施形態を示しており、第１の実施形態と同様構成部分は同一符号を付し、その説明を省略する。
【００３０】
即ち、本実施形態によれば、トラップ装置８における上流側パイプ体１０は第１の実施形態と同様に形成されており、下流側パイプ体１１の第２湾曲管部１１ａは略９０度湾曲された構造とされている。また、ストレート管部１１ｂには第１の実施形態と同様に配管洗浄口１５が一体に形成された構造とされている。
【００３１】
そして、この第１湾曲管部１０ｂと第２湾曲管部１１ａとによりＰ字状のトラップ部７が構成される構造とされている。
【００３２】
本実施形態によれば、横引き配管９の接続部が流し台１の背面壁部から突出されている場合に適用すればよい。
【００３３】
従って、本実施形態においても第１の実施形態と同様の効果が得られる。
【００３４】
図４は第３の実施形態を示しており、第１の実施形態と同様構成部分は同一符号を付し、その説明を省略する。
【００３５】
即ち、本実施形態によれば、トラップ装置８は下流側パイプ体１１のストレート管部１１ｂに接続される延長管２２をさらに備えた構造とされており、ストレート管部１１ｂに配管洗浄口１５を形成する代わりに、延長管２２のストレート管部２２ａに同様構成の配管洗浄口１５が一体に形成された構造とされている。
【００３６】
そして、ストレート管部１１ｂとストレート管部２２ａとがシールパッキン２３を介した取付ナット体２４の螺合締結により、互いに着脱自在に連結される構造とされている。
【００３７】
本実施形態によれば、厨芥処理装置２の取付位置と、流し台１下部に突出された横引き配管９の接続部との距離が比較的長い場合に適用すればよい。
【００３８】
従って、本実施形態においても第１の実施形態と同様の効果が得られる。
【００３９】
なお、第３の実施形態においては、Ｓ字状のトラップ部７を備えたトラップ装置８にさらに延長管２２を備えた構造を示しているが、Ｐ字状のトラップ部７を備えたトラップ装置８にさらに延長管２２を備える構造であってもよく、上記実施形態に何ら限定されない。
【００４０】
また、配管洗浄口１５が一体に形成される位置も作業に適した高さ位置や向きに適宜、配置する構造とすればよい。
【００４１】
さらに、上流側パイプ体１０と下流側パイプ体１１とが別体で形成された構造を示しているが、一体構造であってもよい。
【００４２】
【発明の効果】
以上のように、本発明の厨芥処理装置用トラップ装置によれば、トラップ部より下流側に位置するストレート管部に、下流側に指向する傾斜状に連通されると共に前記配管を洗浄するための高圧洗浄チューブが挿入される筒状の配管洗浄口が、一体に形成されている構造であり、配管洗浄口からの高圧洗浄チューブの挿入作業が容易に行えると共に、下流方向に破砕物や汚れ等の付着物を高圧洗浄水で吹き飛ばしていく方式であり、配管の流れ勾配に沿って吹き飛ばすため、効率的に洗浄が行え、高圧洗浄機による下流側配管の洗浄が容易に行え、また、少ないスペースで配管作業が容易に行えて、省スペース化も図れ、スペースの有効利用が図れる利点もある。
【００４３】
さらに、厨芥処理装置用トラップ装置は延長管を備え、該延長管のストレート管部に配管洗浄口が一体に形成されている構造としても上記同様の効果が得られる。
【図面の簡単な説明】
【図１】本発明の第１の実施形態にかかるトラップ装置が設置された流し台の概略説明図である。
【図２】同トラップ装置の断面図である。
【図３】第２の実施形態にかかるトラップ装置の断面図である。
【図４】第３の実施形態にかかるトラップ装置の断面図である。
【符号の説明】
１　流し台
２　厨芥処理装置
６　排出管
７　トラップ部
８　トラップ装置
９　横引き配管
１０　上流側パイプ体
１１　下流側パイプ体
１１ｂ　ストレート管部
１４　高圧洗浄チューブ
１５　配管洗浄口
２２　延長管
２２ａ　ストレート管部
【図１】
2004100359.tif 000003
【図２】
2004100359.tif 000004
【図３】
2004100359.tif 000005
【図４】
2004100359.tif 000006